(57)【要約】【課題】主電源で動作するモード及び副電源で動作するモードを有する複写機やファクシミリ装置等の処理を行う処理装置において、現在の装置の動作状態を定期的に記憶させ、停電等の不慮の事態から復帰する時に、不慮の事態の発生前の動作状態である上記記憶させた装置の動作状態に基づいて装置を動作させる。【解決手段】交流電源に接続されるＡＣコード１に主電源４及び副電源５を接続し、主電源４とＡＣコード１との間に主電源スイッチ２及びリレー３を並列になるように接続する。また、主電源４に接続された装置全般の制御を行う制御手段７と副電源５及び外部装置に接続された主電源起動手段６とを接続し、各手段６、７をそれぞれリレー３に接続する。【選択図】図１
2004289451.tif 000002
【特許請求の範囲】
【請求項１】
交流電源に主電源スイッチを介して接続され且つ装置の各部に電力を供給する主電源と、交流電源に直接接続され且つ装置に最小限の電力を供給する副電源と、を備え、主電源で動作するモード及び副電源のみで動作するモードを有する処理装置において、
前記主電源スイッチに並列に接続され、前記主電源と交流電源との開閉を行う切換手段と、
現在の装置の動作状態を記憶させる記憶手段と、
前記副電源に接続され、副電源起動時に前記切換手段を閉じて主電源に電力を供給させる主電源起動手段と、
前記主電源に接続され、起動後に前記切換手段を閉じると同時に主電源起動手段の動作を停止させ、前記記憶手段から読み出した装置の動作状態に基づいて装置の動作全般を制御する制御手段と、を備えたことを特徴とする処理装置。
【請求項２】
前記主電源起動手段は、副電源の電圧の立ち上がりをトリガとしてトリガ信号を出力して切換手段を閉じることを特徴とする請求項１に記載の処理装置。
【請求項３】
前記主電源起動手段は、外部装置から受信した信号により前記切換手段を閉じることを特徴とする請求項１に記載の処理装置。
【請求項４】
前記主電源起動手段は、副電源の電圧を監視しつつ前記トリガ信号を出力する副電源監視回路を備えたことを特徴とする請求項２に記載の処理装置。
【請求項５】
前記副電源監視回路は、副電源の起動時の情報を保持する保持手段を備えたことを特徴とする請求項４に記載の処理装置。
【請求項６】
前記制御手段は、起動後に前記切換手段を閉じる信号を出力すると同時に前記保持手段が保持している情報をクリアすることを特徴とする請求項５に記載の処理装置。
【請求項７】
前記保持手段は、前記副電源に入力された交流電源の交流電圧から得られたゼロクロス信号に同期して前記情報の保持を行うことを特徴とする請求項５に記載の処理装置。
【発明の詳細な説明】
【０００１】
【発明の属する技術分野】
この発明は、主電源で動作するモード及び副電源で動作するモードを有する複写機やファクシミリ装置等の処理を行う処理装置に関する。
【０００２】
【従来の技術】
従来、画像形成等の処理を行う処理装置の一種であるファクシミリ装置や複写機等は、制御部が動作している通常の動作状態である通常動作モードや主電源回路をＯＦＦして副電源回路のみで動作して消費電力を低下させて電源投入指示を待つ待機モード等の複数のモードを備えている（例えば、特許文献１参照。）。そのため、ＦＡＸ（インターネットメールからのＦＡＸを含む。）等の送信予約等の処理がある場合に通常動作モードから待機モードに切り換わる時は、待機モードの待機状態に切り換わりつつも送信が完了するまで制御部等の必要最小限の機能部を起動させておき、画像データ等の送信終了後にそれらの機能部を停止させていた。
【０００３】
また、従来のファクシミリ装置には、メイン制御部が停止しているスタンバイ状態において、通信回線からの呼び出し（ＦＡＸ等の受信要求。）があった場合にメイン制御部に電力を供給して起動させ、受信した画像データに基づいて用紙に画像形成等の処理を行うものがあった（例えば、特許文献２参照。）。
【０００４】
【特許文献１】
特開２００１−２８２０５９公報
【特許文献２】
特開平８−２７９８６８号公報
【０００５】
【発明が解決しようとする課題】
しかしながら、上述の特許文献１及び特許文献２の構成では、装置の全般の制御を行う制御部やメイン制御部等の動作が停止している待機モード等で装置が動作している際に停電等により電力の供給が停止して装置動作が完全に停止した場合、その後に停電等が復帰して電力供給が再開されても、装置は待機モードでは起動するが、ユーザ等により再度電源ＳＷ等をＯＮにしてメインの電源がＯＮされるまで装置停止前の元の状態に復帰できない。例えば、制御部がＦＡＸの予約送信における送信データを保持して待機モードで予約送信の送信完了まで待機している際に停電し、その後に停電が復帰しても電源ＳＷがＯＮされるまでは制御部が復帰せず、電源ＳＷがＯＮされて制御部が起動するまで予約送信におけるデータ等が送信されない虞がある。
【０００６】
この発明は、現在の装置の動作状態を定期的に記憶させ、停電等の不慮の事態から復帰する時に、不慮の事態の発生前の動作状態である上記記憶させた装置の動作状態に基づいて装置を動作させることができる処理装置を提供することにある。
【０００７】
【課題を解決するための手段】
この発明は、上記の課題を解決するために、以下の構成を備えている。
【０００８】
（１）交流電源に主電源スイッチを介して接続され且つ装置の各部に電力を供給する主電源と、交流電源に直接接続され且つ装置に最小限の電力を供給する副電源と、を備え、主電源で動作するモード及び副電源のみで動作するモードを有する処理装置において、
前記主電源スイッチに並列に接続され、前記主電源と交流電源との開閉を行う切換手段と、
現在の装置の動作状態を記憶させる記憶手段と、
前記副電源に接続され、副電源起動時に前記切換手段を閉じて主電源に電力を供給させる主電源起動手段と、
前記主電源に接続され、起動後に前記切換手段を閉じると同時に主電源起動手段の動作を停止させ、前記記憶手段から読み出した装置の動作状態に基づいて装置の動作全般を制御する制御手段と、を備えたことを特徴とする。
【０００９】
この構成においては、主電源に接続された主電源スイッチに並列に接続され、交流電源から主電源へ電力を供給するための開閉を行う切換手段と、現在の装置の動作状態を記憶させる記憶手段と、副電源起動時に切換手段を閉じて主電源に電力を供給する主電源起動手段と、起動後に切換手段を閉じると同時に主電源起動手段の動作を停止させ、記憶手段に記憶された装置の動作状態に基づいて装置の動作を制御する制御手段と、が処理装置に備えられている。
【００１０】
したがって、現在の装置の動作状態が記憶され、また副電源の起動時に主電源の起動に伴って制御手段が起動するので、交流電源からの電力供給がなく、且つ主電源スイッチがＯＦＦされて完全に装置が停止している状態において交流電源から電力供給が開始された際、副電源が起動して制御手段が起動することで、制御手段によって完全に停止する前の装置の動作状態が記憶手段から読み出され、且つ読み出された装置の動作状態に基づいて制御が行われる。そのため、装置の停止前において実行途中であった処理が、交流電源からの電力供給が再開されてからも実行途中のままとなることがない。
【００１１】
また、制御手段の起動後は、制御手段によって切換手段が閉じられ、同時に主電源起動手段の切換手段を閉じる動作が停止させられるので、切換手段の開閉の制御が制御手段によって行われれる。そのため、主電源起動手段が主電源を動作させ続けることがなく、制御手段が起動している必要がなくなった場合には、制御手段が切換手段を閉じるのをやめて開放することで主電源の動作が停止される。これにより、主電源から電力が供給されなくなって制御手段自身が停止する。
【００１２】
（２）前記主電源起動手段は、副電源の電圧の立ち上がりをトリガとしてトリガ信号を出力して切換手段を閉じることを特徴とする。
【００１３】
この構成においては、副電源の電圧の立ち上がりをトリガとして主電源起動手段から出力されたトリガ信号によって切換手段が閉じられる。したがって、副電源の電圧の立ち上がりがトリガとされるので、切換手段の開閉を制御するためのソフトウエアを必要とする制御手段を新たに設ける必要がないので、大幅な回路の追加が不要となる。
【００１４】
（３）前記主電源起動手段は、外部装置から受信した信号により前記切換手段を閉じることを特徴とする。
【００１５】
この構成においては、副電源のみで動作するモードにおいて外部装置から信号を受信することで、主電源起動手段が切換手段を閉じて主電源に交流電源から電力が供給されて制御手段が起動する。したがって、主電源起動手段が副電源のみで動作するモードにおける外部装置からの信号の受信手段として用いられ、且つ信号の受信後に制御手段が起動されるので、副電源で動作する受信手段、及び、受信された信号に基づく処理を実行するための制御手段を新たに設ける必要がなく、大幅な回路の追加が不要となる。
【００１６】
（４）前記主電源起動手段は、副電源の電圧を監視しつつ前記トリガ信号を出力する副電源監視回路を備えたことを特徴とする。
【００１７】
この構成においては、主電源起動手段に備えられた副電源の電圧を監視する副電源監視回路が上記トリガ信号を出力しているので、回路的に副電源の電圧が監視されてトリガ信号が出力される。したがって、切換手段の開閉を制御するためのソフトウエアを必要とする制御手段を新たに設ける必要がないので、大幅な回路の追加が不要となる。
【００１８】
（５）前記副電源監視回路は、副電源の起動時の情報を保持する保持手段を備えたことを特徴とする。
【００１９】
この構成においては、副電源監視回路に備えられた保持手段によって、副電源の起動時の情報が保持される。したがって、上記保持された情報に基づいてトリガ信号が出力され続けるので、常に副電源が起動中であるか否かを監視する手段を新たに設ける必要がない。
【００２０】
（６）前記制御手段は、起動後に前記切換手段を閉じる信号を出力すると同時に前記保持手段が保持している前記情報をクリアすることを特徴とする。
【００２１】
この構成においては、制御手段の起動後に、制御手段によって切換手段が閉じられ、同時に副電源の起動時の情報がクリアされてトリガ信号の出力が停止されるので、切換手段の開閉の制御が制御手段によって行われる。そのため、主電源起動手段が主電源を動作させ続けることがなく、制御手段が起動している必要がなくなった場合には、制御手段が切換手段を閉じる信号の出力を停止することで主電源の動作が停止される。これにより、制御手段自身が停止する。
【００２２】
（７）前記保持手段は、前記副電源に入力された交流電源の交流電圧から得られたゼロクロス信号に同期して情報の保持を行うことを特徴とする。
【００２３】
この構成においては、保持手段に保持されている副電源の起動時の情報がゼロクロス信号に同期して定期的に更新維持されるので、ノイズの影響により情報の値が誤った値に変化してもすぐに次の更新時に正常な値に更新され、誤動作の発生が低減される。
【００２４】
また、定期的に更新するための同期信号を作り出す新たな手段が必要ないのでコストアップが抑制される。
【００２５】
【発明の実施の形態】
以下にこの発明の実施形態に係る処理装置の一例としてファクシミリ装置について説明する。
【００２６】
図１は、この発明の実施形態に係るファクシミリ装置の電源周りの概略の構成を示すブロック図である。この発明の装置本体であるファクシミリ装置１００は、ＡＣコード１、主電源スイッチ２、リレー３、主電源４、副電源５、主電源起動手段６、制御手段７、ＲＡＭ８及びＨＤＤ９等から構成される。また、このファクシミリ装置１００は、主電源４で動作するモードである通常動作モード又は副電源５のみで動作するモードである待機モードを選択的に実行する。
【００２７】
ＡＣコード１は、図示しない交流電源に接続され、装置本体に電力を供給する。主電源スイッチ２は、交流電源からＡＣコード１を介して供給される電力を主電源４に供給する。また、主電源スイッチ２は、ユーザによってＯＮ／ＯＦＦが切り換えられ、再度切り換えられるまでは、その状態を保持する。この発明の切換手段であるリレー３は、主電源スイッチ２に並列に接続され、電気信号によって交流電源と主電源４との開閉を行う。
【００２８】
主電源４は、装置の全体に電力を供給する。副電源５は、装置の一部に最小限の電力を供給する。主電源起動手段６は、副電源５の起動時及び待機モード中に通信回線等を介して接続された外部装置５０からの信号を受信してリレー３を閉じる信号を出力する。制御手段７は、主電源４及び主電源起動手段６に接続され、装置の動作全般を制御する。ＲＡＭ８及びＨＤＤ９は、主電源４及び制御手段７に接続され、データ等を格納する。
【００２９】
図２は、この発明の実施形態に係るファクシミリ装置の起動時の手順を示すフローチャートである。なお、主電源スイッチ２はＯＦＦされている状態とする。図２に示すように、交流電源からＡＣコード１を介して電力が供給開始された際、まず副電源５が起動し（ｓ１）、副電源５が電力を供給して主電源起動手段６を起動させる（ｓ２）。その後、主電源起動手段６がリレー３を閉じる信号を出力し（ｓ３）、リレー３を介して交流電源からの電力を主電源４に供給させ、主電源４を起動させる（ｓ４）。
【００３０】
次に、主電源４が装置全体へ電力を供給し、制御手段７、ＲＡＭ８及びＨＤＤ９等の装置の各部を起動させ（ｓ５）、制御手段７がリレー３を閉じる後述するトリガ信号を出力すると同時に主電源起動手段６に信号を出力し、主電源起動手段６の動作を停止させる（ｓ６）。
【００３１】
その後、制御手段７が、装置が完全に停止する前に実行途中であった処理の有無を判断する（ｓ７）。例えば、送信しなければならない送信中のデータや送信予約データの有無を判断する。つまり、通常、制御手段７が定期的にＨＤＤ９に記憶させている現在の装置の動作状態を読み出し、上記読み出した装置の動作状態のうち、例えば処理の実行中を表す処理実行中フラグがＯＮである場合に処理が実行中であったと判断する。ｓ７にて実行途中の処理が存在すると判断した場合は、制御手段７が記憶されていた装置の動作状態に基づいて実行途中の処理を実行し（ｓ８）、実行途中の処理がないと判断した場合は、ｓ９の処理へ移行する。
【００３２】
また、主電源起動手段６が外部装置５０からＦＡＸ（インターネットメールからのＦＡＸを含む。）等のデータ受信の要求信号の有無を判断し（ｓ９）、外部装置５０からの要求があれば制御手段７に要求信号を転送し、制御手段７が外部装置５０から要求された処理を実行する（ｓ１０）。その後、制御手段７が主電源スイッチ２のＯＮ／ＯＦＦを判断する（ｓ１１）。なお、主電源スイッチ２のＯＮ／ＯＦＦの判断は、例えば主電源スイッチ２と主電源４との間から制御手段７に接続されたラインを介して電力が供給されているか否かで行う。
【００３３】
ｓ１１にて主電源スイッチ２がＯＮであると判断した場合は、通常動作モードとして動作し、制御手段７が処理の実行要求の有無を判断し（ｓ１２）、要求があれば処理を実行する（ｓ１３）。ｓ１２にて処理の実行要求がない場合及びｓ１３にて処理の実行が終了した場合はｓ９に戻って、主電源スイッチ２がＯＦＦされるまで又は交流電源からの電力の供給されなくなるまで通常動作モードとしてｓ９〜ｓ１３の処理を繰り返し行う。
【００３４】
一方、ｓ１１にて主電源スイッチ２がＯＦＦであると判断した場合は、制御手段７の実行中の処理の有無を判断し（ｓ１４）、実行中の処理があれば処理の実行を続行（ｓ１５）し、その後ｓ１６に移行する。ｓ１４にて実行中の処理がないと判断した場合は、記憶しなければならないデータ等をＲＡＭ８やＨＤＤ９に記憶させる等の停止処理を行い（ｓ１６）、制御手段７が、リレー３を閉じる信号の出力を停止してリレー３を開放する（ｓ１７）。これにより、主電源４に電力が供給されなくなって制御手段７の動作は停止する。また、ファクシミリ装置１００は、ｓ１７の処理によって主電源４の動作及び制御手段７の動作が停止するので、副電源５のみで動作する待機モードとなる。
【００３５】
待機モード中には主電源起動手段６が外部装置５０からＦＡＸ等のデータ受信の要求信号の有無を判断し（ｓ１８）、要求信号があると判断した場合は、ｓ３へ戻る。ｓ１８にて外部装置５０からの要求信号がないと判断した場合は、主電源スイッチ２のＯＮ／ＯＦＦを判断し（ｓ１９）、主電源スイッチ２がＯＮであればｓ４へ戻る。また、主電源スイッチ２がＯＦＦであればｓ１８へ戻り、主電源スイッチ２がＯＮになるまで又は交流電源から電力が供給されなくなるまでｓ１８、１９の処理を繰り返す。
【００３６】
なお、ファクシミリ装置１００が完全に停止し且つ主電源スイッチ２がＯＮされたままの状態で交流電源から電力が供給されて装置が起動する場合は、主電源４も副電源５と同時にＯＮするので、ｓ１の処理と同時にｓ４からの処理も開始される。
【００３７】
上述の構成によって、副電源５の起動時に主電源起動手段６を用いて主電源４を起動させることができる。これにより、交流電源からの電力供給がなく、且つ主電源スイッチ２がＯＦＦされて完全に装置が停止している状態において交流電源から電力供給が開始された際、制御手段７を起動させることができ、制御手段７が完全に停止する前の装置の動作状態をＨＤＤ９から読み出し、装置を停止する前の状態に復帰させることができる。そのため、主電源スイッチ２をＯＮにして制御手段７を起動させる前に、装置の停止前において実行途中であった処理の実行を交流電源からの電力供給が開始されてすぐに再開することができる。
【００３８】
また、制御手段７の起動後は、制御手段７によってリレー３を閉じると同時に主電源起動手段６の動作を停止するので、リレー３の開閉の制御を制御手段７が行う。そのため、主電源起動手段６が主電源４を動作させ続けることがなく、制御手段７が起動している必要がない場合には、制御手段７がリレー３を閉じるのをやめて開放することで主電源４の動作を停止することができる。これにより、制御手段７自身を停止することができるので、制御手段７が装置の制御を一元管理することが可能となり、より正確に装置の制御を行うことができる。
【００３９】
さらに、制御手段７がリレー３の開閉を制御することによって、制御手段７の判断によって制御手段７自身の動作の停止を行うことができるので、ユーザ等により主電源スイッチ２がＯＦＦされた時であっても制御手段７を動作させることが可能となり、実行しなければならない処理を確実に完了させた後に制御手段７の動作を停止させることができる。つまり、制御手段７は、上述したように主電源スイッチ２のＯＦＦの際、制御手段７自身の動作を停止する前に記憶しなければならないデータ等をＲＡＭ８やＨＤＤ９に記憶させる退避機能を有している。
【００４０】
図３は、この発明の実施形態に係るファクシミリ装置の電源周りの回路構成を示す回路図である。図３に示すように主電源起動手段６は、副電源監視回路１０、ＮＡＮＤゲート２１、フリップフロップ（以下、Ｆ／Ｆと言う。）２２、トランジスタ２３及びハードプロテクト回路３０等から構成される。副電源監視回路１０は、リセットＩＣ１１及びこの発明の保持手段であるＦ／Ｆ１２及びＮＡＮＤゲート１３等から構成され、副電源５の電圧を監視し、副電源５の起動時の電圧の立ち上がりをトリガとしてリレー３を閉じるための信号であるトリガ信号をＦ／Ｆ１２の出力端子であるＱバー端子から出力する。
【００４１】
ＮＡＮＤゲート２１は、トリガ信号、外部装置５０から出力されるＦＡＸ等のデータ受信の要求信号Ｃ及び制御手段７から出力される信号Ｂが入力端子に入力され、出力端子にＦ／Ｆ２２のＤ端子が接続されている。Ｆ／Ｆ２２は、Ｑバー端子にトランジスタ２３のベース端子が接続されている。トランジスタ２３は、エミッタ端子に副電源５が接続され、コレクタ端子にリレー３が接続され、Ｆ／Ｆ２２のＱバー端子から出力される信号によって副電源５からの電流を流してリレー３を閉じる。
【００４２】
また、ハードプロテクト回路３０は、制御手段７及びＦ／Ｆ２３のＣＬＲ（クリア）端子に接続され、主電源スイッチ２がＯＦＦの状態である待機モード中の制御手段７の異常検出を行う。
【００４３】
つまり、ハードプロテクト回路３０が、制御手段７から出力されるパルス信号である信号Ｄを比較器３１で監視し、正しい信号が制御手段７から送信されているかを判断し、異常な信号であればＦ／Ｆ２３のＣＬＲ端子にＯＮ信号出力してＦ／Ｆ２３をクリアすることでリレー３を開放して制御手段７の動作を強制的に停止させる。信号Ｄは、制御手段７に組み込まれているソフトウエアにより一定の時間間隔で理論変化（Ｈｉｇｈレベル信号、Ｌｏｗレベル信号を交互に出力）させている。これは、ユーザのほとんどいない夜間等における待機モード中に、制御手段７の暴走による装置の予期しない動作を防止するためである。
【００４４】
図４は、この発明の実施形態に係るファクシミリ装置における副電源の起動時の電源周りの回路の各信号の動作を示すタイミングチャートである。なお、電源スイッチ２はＯＦＦの状態とする。
【００４５】
図４に示すように、ＡＣコード１を交流電源に接続して副電源５を起動させた際、リセットＩＣ１１は、副電源５を監視して副電源５から供給されている電圧が一定以上の値になって起動した時（ｔ１）から、一定時間（ｔ２−ｔ１）経過後に立ち上がる（信号ＡをＨｉｇｈレベルにする。）。これは、リセットＩＣ１１が、決められた一定のＨｉｇｈレベル移行時遅延時間を持っているためである。
【００４６】
また、  副電源５が起動してからリセットＩＣ１１が立ち上がる（信号ＡがＨｉｇｈレベルになる）までの期間（ｔ１〜ｔ２）は、信号Ａの出力値（Ｌｏｗ出力）によりＦ／Ｆ１２のプリセット端子がＯＮとなってＱ端子がＨｉｇｈ出力となり、トリガ信号となるＱバー端子がＬｏｗ出力となりＮＡＮＤゲート２１に入力される。つまり、トリガ信号を出力するトリガである副電源５の電圧の立ち上がりをリセットＩＣ１１が監視し、副電源５の起動時にトリガ信号を出力する。
【００４７】
ここで、ＮＡＮＤゲート２１に入力される３つの信号Ａ〜Ｃのうち、信号Ｂは、制御手段７が起動していないのでＨｉｇｈレベル、信号Ｃは、データ受信の要求信号がないものとしてＨｉｇｈレベルとなる。これにより、ＮＡＮＤゲート２１の出力端子はＨｉｇｈ出力となり、Ｆ／Ｆ２２のＤ端子にはＨｉｇｈレベルの信号が入力される。これにより、Ｆ／Ｆ２２のＱ端子がＨｉｇｈ出力となるので、Ｑバー端子はＬｏｗ出力となってトランジスタ２３のエミッタ端子からコレクタ端子に向かって副電源５からの電流が流れ、リレー３を閉じる。
【００４８】
また、Ｆ／Ｆ１２は、Ｄ端子とＱ端子とをフィードバック接続しているので、Ｆ／Ｆ１２によって副電源５の起動時の情報を保持することができる。つまり、副電源５の起動時の電圧をトリガとして出力された信号Ａの値を保持することができる。そのため、上記保持された情報に基づいてトリガ信号を出力し続けることができ、常に副電源５が起動時であるか否かを監視するための制御手段７を新たに設ける必要がなく、大幅な回路の追加が不要となるので、コストアップを抑制できる。さらに、待機モードにおける電力の消費量の増加を抑制できる。
【００４９】
なお、Ｆ／Ｆ２２においては、プリセット端子に信号Ａが入力されるので、ｔ１〜ｔ２の期間はＱ端子が強制的にＨｉｇｈ出力となる。また、信号ＡをＦ／Ｆ１２のプリセットに接続し、クリアにはその反転信号を接続しているので、プリセットとクリアが同時に起こる事はない。
【００５０】
また、トリガ信号によりリレー３が閉じるので、主電源４が起動してｔ１〜ｔ２の間に制御手段７が起動する。また、制御手段７は、起動後すぐにリレー３を閉じるための信号ＢをＬｏｗレベルにする。さらにｔ２経過後、リセットＩＣ１１が立ち上がる（信号ＡがＨｉｇｈレベルとなる。）ので、信号ＢによってＦ／Ｆ１２のＣＬＲ端子にＨｉｇｈレベルの信号が入力され、Ｆ／Ｆ１２の保持情報がクリアされる。つまり、制御手段７が信号ＢをＬｏｗレベルにすることでＦ／Ｆ１２のＱ端子がＬｏｗ出力となり、逆にＱバー端子がＨｉｇｈ出力となるので、リレー３を閉じるためのＬｏｗレベルのトリガ信号の出力が停止される。
【００５１】
したがって、上述したように制御手段７の起動後は、制御手段７がＦ／Ｆ１２からのトリガ信号を停止する代わりに、信号ＢをＬｏｗレベルにすることによりリレー３を閉じる。これによって、制御手段７が処理を実行中に主電源起動手段６によって主電源４の動作が停止させられることがなく、また制御手段７が処理を実行する必要がなくなった場合、つまり起動している必要がない場合には制御手段７が制御手段７自身の動作を停止できるので、制御手段７で装置の制御を一元管理することが可能となり、より正確に装置を制御を行うことができる。
【００５２】
また、制御手段７の起動後に上述したように実行途中であった処理及び外部装置５０からのデータ受信の要求信号がなければ、制御手段７は信号ＢをＨｉｇｈレベルにすることで（ｔ３）、Ｆ／Ｆ２２のＤ端子にＬｏｗレベルの信号を入力してＱバー端子をＨｉｇｈ出力としてリレー３を開放する。これにより、制御手段７は動作を停止し、装置は待機モードで動作する。
【００５３】
また、待機モード中、外部装置５０からデータ受信の要求信号があった場合は、信号ＣがＨｉｇｈレベルからＬｏｗレベルとなってリレー３が閉じて、制御手段７が起動する。これにより、例えば、主電源起動手段６を介して転送されたＦＡＸ等のデータに基づいて制御手段７が画像を形成する。
【００５４】
したがって、主電源起動手段６を待機モード中の外部装置５０からの信号の受信手段として用いることができ、また信号の受信後に制御手段７を起動することができるので、副電源５で動作する受信手段、及び、受信した信号の処理を行う制御手段を新たに設ける必要がないので大幅な回路の追加が不要となり、コストアップを抑制できる。さらに、待機モードにおける電力の消費量の増加を抑制できる。
【００５５】
上述の構成のように、副電源監視回路１０を設け、副電源５の電圧の立ち上がりをトリガとしてトリガ信号を出力することによって、リレー３の開閉を制御するためのソフトウエアを必要とする制御手段を新たに設ける必要がなく、大幅な回路の追加が不要となるので、コストアップを抑えることができ、また待機モードにおける電力の消費量の増加を抑制できる。
【００５６】
なお、副電源５に入力される交流電源の電圧から取得したゼロクロス信号（フルウエーブ（ＦＷ）信号とも言う。）をＦ／Ｆ１２、Ｆ／Ｆ２２のＣＬＫ端子に入力している。ゼロクロス信号とは、定着器等に用いられる位相制御等の基準信号であり、また交流電圧の全波整流波形を波形形成して得られたものであって、電源等の回路では一般的に使用されているので、副電源５から容易に得ることができる。
【００５７】
したがって、Ｆ／Ｆ１２の保持している情報をゼロクロス信号に同期して定期的に更新維持することによって、ノイズの影響により情報の値が誤った値に変化してもすぐに次の更新時に正常な値に更新できるので、誤動作の発生を低減できる。つまり、ゼロクロス信号によってＦ／Ｆ１２におけるＤ端子の状態で定期的にＱ端子及びＱバー端子の状態を更新するので、Ｑ端子及びＱバー端子の出力値がノイズによって変化してもすぐに正常な端子Ｄの値に基づいて更新される。
【００５８】
さらに、定期的に更新するための同期信号を作り出す水晶発振子や水晶発振器等の新たな手段が必要ないのでコストアップを抑制できる。
【００５９】
なお、この発明は、ファクシミリ装置に限らず、主電源４で起動モード及び副電源５で起動するモードを有する複写機等の処理を行う処理装置にも適用可能である。
【００６０】
【発明の効果】
この発明によれば、以下の効果を奏することができる。
【００６１】
（１）副電源の起動時に主電源起動手段を用いて主電源を起動させることによって、交流電源からの電力供給がなく、且つ主電源スイッチがＯＦＦされて完全に装置が停止している状態から交流電源から電力供給が開始された際、制御手段を起動させることができ、制御手段が完全に停止する前の装置の動作状態を記憶手段から読み出し、装置を停止する前の状態に復帰させることができる。
【００６２】
これにより、主電源スイッチをＯＮにして制御手段を起動させる前に、装置の停止前において実行途中であった処理の実行を交流電源からの電力供給が開始されてすぐに再開できる。
【００６３】
また、制御手段の起動後は、制御手段を用いて切換手段の開閉の制御を行うことができ、制御手段が起動している必要がなくなった場合には制御手段が制御手段自身の動作を停止できるので、制御手段が装置の制御を一元管理することが可能となり、より正確に制御を行うことができる。
【００６４】
さらに、制御手段が切換手段の開閉を制御することによって、制御手段の判断によって自身の動作の停止を制御できるので、主電源スイッチをＯＦＦされた時であっても制御手段を動作させることが可能となり、実行すべき処理を確実に完了させた後に制御手段の動作を停止できる。
【００６５】
（２）副電源の電圧の立ち上がりをトリガとしてトリガ信号を出力することによって、切換手段の開閉を行うためのソフトウエアを必要とする副電源で動作する制御手段を新たに設ける必要がなくなり、大幅な回路の追加が不要となるので、コストアップを抑えることができ、また副電源のみで動作するモードにおける電力の消費量の増加を抑制できる。
【００６６】
（３）主電源起動手段を副電源のみで動作するモードにおける外部装置からの信号の受信手段として用い、上記信号の受信後に制御手段を起動させることによって、副電源で動作する受信手段、及び、受信した信号の処理を行う制御手段を新たに設ける必要がないので大幅な回路の追加が不要となるので、コストアップを抑えることができる。また、副電源のみで動作するモードにおける電力の消費量の増加を抑制できる。
【００６７】
（４）副電源監視回路を設け、副電源の電圧の立ち上がりをトリガとしてトリガ信号を出力することによって、切換手段の開閉を制御するためのソフトウエアを必要とする制御手段を新たに設ける必要なく、大幅な回路の追加が不要となるので、コストアップを抑えることができ、また副電源のみで動作するモードにおける電力の消費量の増加を抑制できる。
【００６８】
（５）副電源監視回路に保持手段を備えて副電源の起動時の情報を保持することによって、上記保持された情報に基づいてトリガ信号を出力し続けることができるので、常に副電源が起動時であるか否かを監視するための副電源で起動する制御手段を新たに設ける必要がなく、大幅な回路の追加が不要となるので、コストアップを抑制できる。また、副電源のみで動作するモードにおける電力の消費量の増加を抑制できる。
【００６９】
（６）制御手段の起動後に、制御手段によって切換手段を閉じる信号を出力し、同時に保持手段が保持している情報をクリアすることによって、制御手段の起動後は、制御手段を用いて切換手段の開閉の制御を行うことができる。そのため、制御手段が起動している必要がない場合には制御手段が制御手段自身の動作を停止することができるので、制御手段が装置の制御を一元管理することが可能となり、より正確に装置の制御を行うことができる。
【００７０】
（７）保持手段の保持している情報をゼロクロス信号に同期して定期的に更新維持することによって、ノイズの影響により情報の値が誤った値に変化してもすぐに次の更新時に正常な値に更新できるので、誤動作の発生を低減できる。
【００７１】
また、定期的に更新するための同期信号を作り出す水晶発振子や水晶発振器等の新たな手段が必要ないのでコストアップを抑制できる。
【図面の簡単な説明】
【図１】この発明の実施形態に係るファクシミリ装置の電源周りの概略の構成を示すブロック図である。
【図２】同ファクシミリ装置の起動時の手順を示すフローチャートである。
【図３】同ファクシミリ装置の電源周りの回路構成を示す回路図である。
【図４】同ファクシミリ装置における副電源の起動時の電源周りの回路の各信号の動作を示すタイミングチャートである。
【符号の説明】
２−主電源スイッチ
３−リレー
４−主電源
５−副電源
６−主電源起動手段
７−制御手段
１０−副電源監視回路
１２−フリップフロップ
１００−ファクシミリ装置
【図１】
2004289451.tif 000003
【図２】
2004289451.tif 000004
【図３】
2004289451.tif 000005
【図４】
2004289451.tif 000006